(57)【要約】【課題】  携帯電話機が有する映像と音声のデータを、テレビ装置において視聴可能にする。【解決手段】  開示される携帯電話機１００Ａは、携帯電話機内の映像データからテレビ装置３００に対応する映像信号８１を生成する信号変換部８０を有し、信号変換部８０において生成された映像信号８１とステレオ音声信号３５とをテレビ装置出力端子部９０から映像・音声信号ケーブル部１１０を介してテレビ装置３００に伝送することによって、テレビ装置３００において映像とステレオ音声との再生を可能にするように構成されている。【選択図】      図１
2005252784.tif 000002
【特許請求の範囲】
【請求項１】
携帯電話機において、該携帯電話機内の映像データから表示媒体に対応する映像信号を生成する信号変換手段を設け、
前記信号変換手段において生成された映像信号とステレオ音声信号とを出力端子から映像・音声信号伝送手段を介して表示媒体に伝送することによって、前記表示媒体において映像とステレオ音声との再生を可能にするように構成されていることを特徴とする携帯電話機。
【請求項２】
前記映像・音声信号伝送手段が、前記出力端子に整合して、前記映像信号とステレオ音声信号とを前記表示媒体に伝送する映像・音声信号ケーブル部からなることを特徴とする請求項１記載の携帯電話機。
【請求項３】
前記映像・音声信号伝送手段が、前記出力端子に整合して、前記映像信号とステレオ音声信号とを伝送媒体が伝送可能な信号に変換して前記伝送媒体に出力する携帯電話機側非接触インタフェース手段と、前記伝送媒体から伝送された信号を変換して前記映像信号とステレオ音声信号とを前記表示媒体に出力する表示媒体側非接触インタフェース手段とからなる非接触インタフェースシステムからなることを特徴とする請求項１記載の携帯電話機。
【請求項４】
前記伝送媒体が赤外線信号であって、前記携帯電話機側非接触インタフェース手段が、前記映像信号とステレオ音声信号とを赤外線信号に変換して前記伝送媒体に送出する非接触インタフェースアダプタからなり、前記表示媒体側非接触インタフェース手段が、前記伝送媒体から受信した赤外線信号を前記映像信号とステレオ音声信号とに変換して前記表示媒体に出力する非接触インタフェース部からなることを特徴とする請求項３記載の携帯電話機。
【請求項５】
前記伝送媒体が無線信号であって、前記携帯電話機側非接触インタフェース手段が、前記映像信号とステレオ音声信号とを無線信号に変換して前記伝送媒体に送出する非接触インタフェースアダプタからなり、前記表示媒体側非接触インタフェース手段が、前記伝送媒体から受信した無線信号を前記映像信号とステレオ音声信号とに変換して前記表示媒体に出力する非接触インタフェース部からなることを特徴とする請求項３記載の携帯電話機。
【請求項６】
携帯電話機において、ブラウザ手段を備えて基地局を介してネットワークに接続可能に構成するとともに、該携帯電話機内の映像データから表示媒体に対応する映像信号を生成する信号変換手段を備え、
前記信号変換手段において生成された映像信号をステレオ音声信号とともに表示媒体に伝送する際に、前記ネットワークに接続して、該ネットワーク内のサーバに予め蓄積されている前記表示媒体に対応する映像出力パラメータを取り出し、前記信号変換手段において生成した映像信号を前記取り出された映像出力パラメータに応じた形式の映像信号として、ステレオ音声信号とともにネットワークを経て前記サーバに送信することによって、前記表示媒体が前記ネットワークに接続して前記サーバから前記映像とステレオ音声のデータを取り出して再生することができるように構成されていることを特徴とする携帯電話機。
【請求項７】
前記ブラウザ手段におけるブラウザ通信プログラムが、ＪＡＶＡ（登録商標）によって記述されていることを特徴とする請求項６記載の携帯電話機。
【発明の詳細な説明】
【技術分野】
【０００１】
この発明は、携帯電話機が有する映像と音声の再生信号を、一般のテレビジョン（以下、テレビと略す）装置において鑑賞可能にする機能を持つ携帯電話機に関する。
【背景技術】
【０００２】
従来、携帯電話機が備えているヘッドセット出力端子部は、専ら音声信号をヘッドセットに伝達して、ヘッドセットから音響信号として出力するためにのみ存在するものであった。
図６は、従来の携帯電話機の構成例をブロック図によって示したものである。従来の携帯電話機１００は、図６に示すように、送受信部１０と、制御部２０と、音声信号処理部３０と、音声増幅部４０と、画像表示制御部５０と、表示器６０と、ヘッドセット出力端子部７０とから概略構成されている。
【０００３】
送受信部１０は、アンテナ１１と無線部１２とを有し、送信時には、送信音声と送信映像とのベースバンドレベルのデータからなる送信信号を生成し、無線部１２を介して送信ベースバンドデータを無線信号に変換して、アンテナ１１から基地局（不図示）に対して送出するとともに、受信時には、アンテナ１１を経て受信した基地局からの無線信号を、無線部１２を介してベースバンドレベルの受信音声と受信映像とからなる受信信号に変換して出力する。制御部２０は、基地局との間の音声や映像を含むデータ通信の制御や、音声や映像を録音，録画，再生する際の制御等、さまざまな制御を行う。
【０００４】
音声信号処理部３０は、ＰＣＭ部３１と、ディジタル／アナログ変換部（Ｄ／Ａ）３２と、増幅器３３と、スピーカ３４とを有し、ＰＣＭ部３１において、制御部２０から出力されたＰＣＭ（Phase Code Modulation)信号からなるベースバンドデータを復調して、ステレオ音声信号からなる、通話音声や再生音声等の音声ディジタルデータを生成し、Ｄ／Ａ３２において、ＰＣＭ部３１で生成された音声ディジタルデータをアナログ信号に変換して、ステレオ音声信号３５として出力するとともに、増幅部３３に入力する。増幅部３３は、Ｄ／Ａ３２で生成された音声信号を増幅してスピーカ３４に出力する。スピーカ３４は、増幅部３３からの音声信号によって音響信号を送出する。
【０００５】
音声増幅部４０は、Ｄ／Ａ３２からのステレオ音声信号３５を増幅して、ヘッドセット出力端子部７０に出力する。画像表示制御部５０は、通信データ中の映像データや、携帯電話機内で録画した映像データ等を、表示媒体である表示器６０において再生するために、表示媒体の機能に対応する映像信号を生成して出力する際の制御を行う。表示器６０は、画像表示制御部５０から出力された映像信号によって、映像を可視的に表示する。ヘッドセット出力端子部７０は、例えばジャックからなり、音声増幅部４０からのステレオ音声信号を図示されない帰線（接地線）とともに、ジャックに挿入されたプラグに接続されたコードを経て、ヘッドセット２００に出力する。
【０００６】
また、特許文献１においては、外部録音装置に接続して、使用者の操作に応じて送信音声と受信音声とを区別して外部録音装置に録音することができるようにした、録音機能付き携帯電話機が開示されている。
また、特許文献２においては、ビデオ付き留守応答メッセージ機能を有するがテレビ電話機能を持たない着信側携帯電話機に対して、発信側携帯電話機が、マルチコール機能を適用して着信側携帯電話機への音声チャネルを開いて発呼を行うとともに、着信側携帯電話機から発信側携帯電話機へのデータチャネルを開いて着信側携帯電話機が応答を行うことによって、発信側携帯電話機が着信側携帯電話機からビデオ付き留守応答メッセージを伝送されるビデオ付き留守応答メッセージ機能付き携帯電話機が開示されている。
【特許文献１】特開２０００−２２４３４０（図１，段落０００７，段落００２８）
【特許文献２】特開２００３−１５２８８８（図４，段落０００１，段落００１８〜段落００２０）
【発明の開示】
【発明が解決しようとする課題】
【０００７】
図６に示された従来の携帯電話機においては、映像の再生は携帯電話機に備えられた表示器において行い、音声の再生は携帯電話機に備えられているスピーカにおいて行うように構成されているが、携帯電話機内の映像と音声のデータを、一般のテレビ装置等の外部周辺機器の入力端子に接続して、映像と音声の再生を行うことは不可能であった。
【０００８】
これに対して、特許文献１においては、携帯電話機において外部インタフェースを備えて、携帯電話機の送受信音声データを外部録音装置において録音可能にすることが記載されており、また、特許文献２においては、着信側携帯電話機において内部に保持されている着信ビデオ情報を、外部機器（発信側携帯電話機）に接続して表示させるようにすることが記載されているが、携帯電話機が有する音声情報と映像情報とを、一般のテレビ装置の入力端子に接続することによって、携帯電話機が受信した音声情報と映像情報とを、テレビ装置等の外部周辺機器において再生し視聴できるようにすることについては記載されていない。
【０００９】
この発明は上述の事情に鑑みてなされたものであって、携帯電話機が有する映像と音声の情報を、従来の携帯電話機が持つ機能に対する最小限の追加のみによって、一般のテレビ装置等の外部周辺機器の性能を利用して再生可能にすることによって、大画面化・大音量化して鑑賞しやすい形で再生できるようにした、携帯電話機を提供することを目的としている。
【課題を解決するための手段】
【００１０】
上記課題を解決するため、請求項１記載の発明は携帯電話機に係り、携帯電話機において、該携帯電話機内の映像データから表示媒体に対応する映像信号を生成する信号変換手段を設け、上記信号変換手段において生成された映像信号とステレオ音声信号とを出力端子から映像・音声信号伝送手段を介して表示媒体に伝送することによって、上記表示媒体において映像とステレオ音声との再生を可能にするように構成されていることを特徴としている。
【００１１】
また、請求項２記載の発明は、請求項１記載の携帯電話機に係り、上記映像・音声信号伝送手段が、上記出力端子に整合して、上記映像信号とステレオ音声信号とを上記表示媒体に伝送する映像・音声信号ケーブル部からなることを特徴としている。
【００１２】
また、請求項３記載の発明は、請求項１記載の携帯電話機に係り、上記映像・音声信号伝送手段が、上記出力端子に整合して、上記映像信号とステレオ音声信号とを伝送媒体が伝送可能な信号に変換して上記伝送媒体に出力する携帯電話機側非接触インタフェース手段と、上記伝送媒体から伝送された信号を変換して上記映像信号とステレオ音声信号とを上記表示媒体に出力する表示媒体側非接触インタフェース手段とからなる非接触インタフェースシステムからなることを特徴としている。
【００１３】
また、請求項４記載の発明は、請求項３記載の携帯電話機に係り、上記伝送媒体が赤外線信号であって、上記携帯電話機側非接触インタフェース手段が、上記映像信号とステレオ音声信号とを赤外線信号に変換して上記伝送媒体に送出する非接触インタフェースアダプタからなり、上記表示媒体側非接触インタフェース手段が、上記伝送媒体から受信した赤外線信号を上記映像信号とステレオ音声信号とに変換して上記表示媒体に出力する非接触インタフェース部からなることを特徴としている。
【００１４】
また、請求項５記載の発明は、請求項３記載の携帯電話機に係り、上記伝送媒体が無線信号であって、上記携帯電話機側非接触インタフェース手段が、上記映像信号とステレオ音声信号とを無線信号に変換して上記伝送媒体に送出する非接触インタフェースアダプタからなり、上記表示媒体側非接触インタフェース手段が、上記伝送媒体から受信した無線信号を上記映像信号とステレオ音声信号とに変換して上記表示媒体に出力する非接触インタフェース部からなることを特徴としている。
【００１５】
また、請求項６記載の発明は携帯電話機に係り、携帯電話機において、ブラウザ手段を備えて基地局を介してネットワークに接続可能に構成するとともに、該携帯電話機内の映像データから表示媒体に対応する映像信号を生成する信号変換手段を備え、上記信号変換手段において生成された映像信号をステレオ音声信号とともに表示媒体に伝送する際に、上記ネットワークに接続して、該ネットワーク内のサーバに予め蓄積されている上記表示媒体に対応する映像出力パラメータを取り出し、上記信号変換手段において生成した映像信号を上記取り出された映像出力パラメータに応じた形式の映像信号として、ステレオ音声信号とともにネットワークを経て上記サーバに送信することによって、上記表示媒体が上記ネットワークに接続して上記サーバから上記映像とステレオ音声のデータを取り出して再生することができるように構成されていることを特徴としている。
【００１６】
また、請求項７記載の発明は、請求項６記載の携帯電話機に係り、上記ブラウザ手段におけるブラウザ通信プログラムが、ＪＡＶＡ（登録商標）によって記述されていることを特徴としている。
【発明の効果】
【００１７】
本発明の携帯電話機によれば、従来の携帯電話機に対して信号変換部を設け、映像・音声出力端子を従来のステレオ音声信号対応の場合と兼用の映像・音声信号出力端子に変更するだけの最小限の変更によって、携帯電話機内の映像と音声の情報を、外部の表示媒体において拡大して鑑賞することが可能になる。
また、本発明の携帯電話機によれば、従来の携帯電話機に対して信号変換部を設けるとともに、ネットワークシステム内に映像出力パラメータ情報を予め蓄積することによって、外部の表示媒体の映像表示形式に適合した映像出力パラメータを自動的に選択した映像信号を、ステレオ音声信号とともにネットワークを介して外部の表示媒体に伝送して、拡大して鑑賞することが可能になる。
【発明を実施するための最良の形態】
【００１８】
携帯電話機に信号変換手段を設けて、携帯電話機内の映像データから表示媒体に対応する映像信号を生成してステレオ音声信号とともに出力端子に伝送する。そして出力端子に整合する映像・音声信号ケーブル部を介して映像信号とステレオ音声信号とを表示媒体に伝送することによって、表示媒体において携帯電話機内の映像データとステレオ音声との再生を行うことができるようにする。
【実施例１】
【００１９】
図１は、本発明の第１実施例である携帯電話機の構成を示すブロック図、図２は、本実施例の携帯電話機の動作フローチャートを示す図、図３は、本実施例の携帯電話機の動作を説明するためのタイミングチャートである。
【００２０】
この例の携帯電話機１００Ａは、図１に示すように、送受信部１０と、制御部２０と、音声信号処理部３０と、音声増幅部４０と、画像表示制御部５０と、表示器６０と、信号変換部８０と、テレビ装置出力端子部９０と、映像・音声信号ケーブル部１１０とから概略構成されている。これらのうち、送受信部１０，制御部２０，音声信号処理部３０，音声増幅部４０，画像表示制御部５０，表示器６０は、図６に示された従来例の場合と同様なので、以下においては、これらについての詳細な説明を省略する。
【００２１】
信号変換部８０は、画像表示制御部５０において生成された映像データを、表示媒体であるテレビ装置等の外部周辺機器が対応可能な映像信号８１に変換して出力するものであって、例えば、ＮＴＳＣ（National Television System Committee）エンコーダからなっている。テレビ装置出力端子部９０は、例えばジャックからなり、音声増幅部４０からのステレオ音声信号と信号変換部８０からの映像信号とを、図示されない共通の帰線（接地線）とともにジャックに挿入されたプラグに出力する。映像・音声信号ケーブル部１１０は、テレビ装置出力端子部９０を構成するジャックに適合するプラグに接続されたケーブルからなり、テレビ装置出力端子部９０からのステレオ音声信号と映像信号とをテレビ装置３００のＡＶ入力端子に伝送する。テレビ装置出力端子部９０は、適合するプラグに接続されたコードが、ステレオ音声信号のみに対応するものであるときは、その機能が図６に示された従来のヘッドセット出力端子部７０と同じになる。
【００２２】
本発明の携帯電話機における、通話音声の送受信と、映像データの送受信の動作は、通常の携帯電話機の場合と同様にして行われる。
以下においては、この例の携帯電話機における、音声および映像データのテレビ装置に対する出力動作について、図２に示すフローチャートおよび図３に示すタイミングチャートを参照して、詳細に説明する。
【００２３】
図２および図３においては、動画・音声再生開始イベント（例えばユーザによる開始キーの押下等）の発生から、動画・音声再生終了イベント（同じくユーザによる終了キーの押下等）の発生までの一連の動作について、各段階の動作とそのタイミングの概要を示している。
【００２４】
いま、時刻Ｔｂにおいて動画・音声再生開始イベントが発生すると、制御部２０が音声信号処理部３０と画像表示処理部５０とを起動させると同時に、音声信号処理部３０に再生音声データを出力する（ステップＳ１）。
画像表示制御部５０は、再生映像データを信号変換部８０に出力し、信号変換部８０を起動する。画像表示制御部５０によって起動された信号変換部８０は、画像表示制御部５０から受け取った再生映像データを映像信号に変換し始める（ステップＳ２）。
また、制御部２０によって起動された音声信号処理部３０は、制御部２０から受け取った再生音声データをステレオ音声信号に変換し始める（ステップＳ３）。
【００２５】
次に、時刻Ｔ１において、信号変換部８０は変換し終わった映像信号を映像信号８１に出力し、テレビ装置出力端子部９０の映像信号端子９２から、映像・音声信号ケーブル部１１０を経てテレビ装置３００のＡＶ入力端子における映像信号端子へ入力させる（ステップＳ４）。
一方、音声信号処理部３０は、再生音声データから変換し終わったステレオ音声信号をステレオ音声信号３５に出力し、音声増幅器４０で増幅したのち、テレビ装置出力端子部９０の音声信号端子９１から、映像・音声信号ケーブル部１１０を経てテレビ装置３００のＡＶ入力端子における、ＬチャネルとＲチャネルの音声信号端子に入力させる（ステップＳ５）。
【００２６】
次の時刻以降、画像表示制御部５０と音声信号処理部３０が上記の動作を繰り返し行って、テレビ装置３００に映像信号とステレオ音声信号とを出力することによって、テレビ情報の再生が行われる。
【００２７】
最後に、時刻Ｔｅにおいて、動画・音声再生終了イベントが発生すると、制御部２０は画像表示制御部５０と音声信号処理部３０に対して動作停止を指示する。制御部２０によって発行された動作停止指示を画像表示制御部５０が受け取ると、画像表示制御部５０は信号変換部８０の動作を停止させるので、映像信号８１の出力が停止する。また、制御部２０によって発行された動作停止指示を音声信号処理部３０が受け取ると、音声信号処理部３０は再生音声データからステレオ音声信号への変換動作を停止し、従ってステレオ音声信号３５の出力が停止する。
これによって、時刻Ｔｅにおいてテレビ装置３００における映像とステレオ音声の入力が停止し、テレビ情報の再生が終了する。
【００２８】
このように、この例の携帯電話機では、従来の携帯電話機の構成に対して信号変換部８０を追加するとともに、出力端子部の構成を変えるだけの最小限の変更のみで、携帯電話機からのステレオ音声信号と映像信号とを、映像・音声信号ケーブル部を経て外部のテレビ装置に出力して、テレビの映像と音声を再生させることができる。
従って、携帯電話機の映像と音声のデータを利用して、一般のテレビ装置を代表とする携帯電話機外の周辺機器を用いて、大画面化・大音量化が可能な映像とステレオ音声の再生システムを低コストで構築することが容易になる。
【実施例２】
【００２９】
図４は、本発明の第２実施例である携帯電話機の構成を示すブロック図である。
この例においては、携帯電話機１００Ａから非接触インタフェースシステムを介してテレビ装置３００Ａに対して映像と音声の情報を伝送することによって、テレビ装置３００Ａにおいてテレビの映像と音声を再生させるものである点において第１実施例の場合と異なっている。
この例の携帯電話機１００Ａは、図１に示された第１実施例の場合と同様なので、以下においてはこれについての詳細な説明を省略する。
【００３０】
この例における非接触インタフェースシステムは、非接触インタフェースアダプタ１２０と、非接触インタフェース部１３０とから構成されている。
非接触インタフェースアダプタ１２０は、携帯電話機１００Ａに接続して使用するものであって、携帯電話機１００Ａのテレビ装置出力端子部９０の音声信号端子９１を介して、音声増幅部４０からのステレオ音声信号を受け取り、映像信号端子９２を介して信号変換部８０からのからの映像信号を受け取って、アナログ／ディジタル変換部（不図示）においてディジタル信号に変換したのち、これを伝送媒体１４０によって伝送可能な信号に変換して送出する。伝送媒体１４０は、例えば赤外線信号や無線信号からなっている。
【００３１】
また、非接触インタフェース部１３０は、テレビ装置３００Ａ側に備えられているものであって、伝送媒体１４０を介して非接触インタフェースアダプタ１２０からの信号を受け取って、この信号をディジタル信号に変換したのち、これをディジタル／アナログ変換部（不図示）においてアナログ信号からなるステレオ音声信号と映像信号とに変換してテレビ装置３００Ａに供給する。これによって、テレビ装置３００Ａでは、携帯電話機１００Ａから送られた映像とステレオ音声の情報によって、テレビ映像と音声を再生することができる。
【００３２】
この例の携帯電話機は、映像および音声データのテレビ装置に対する出力を、図１に示された携帯電話機の場合における、映像・音声信号ケーブル部１１０に代えて非接触インタフェースシステムを介して行うものであって、従ってその場合の動作タイミング等は、図３に示された第１実施例の場合と同様である。
【００３３】
このような非接触インタフェースアダプタ１２０，非接触インタフェース部１３０からなる非接触インタフェースシステムとしては、伝送媒体１４０として赤外線信号を使用するものや無線信号を使用するものがある。
伝送媒体として赤外線信号を使用するものは、非接触インタフェースアダプタ１２０において、ステレオ音声信号および映像信号を赤外線信号に変換して空間を経て伝送し、非接触インタフェース部１３０において、受信した赤外線信号を再びステレオ音声信号と映像信号に変換することによって、テレビ情報の伝送を行う。
赤外線信号を利用した非接触インタフェースシステムの例としては、例えば周知のＩｒＤＡ（Infrared Data Association ）規格の通信方式を利用したものが好適である。
【００３４】
また、伝送媒体として無線信号を使用するものは、非接触インタフェースアダプタ１２０において、ステレオ音声信号および映像信号を無線信号に変換して空間を経て伝送し、非接触インタフェース部１３０において、受信した無線信号を再びステレオ音声信号と映像信号に変換することによって、テレビ情報の伝送を行う。
無線信号を利用した非接触インタフェースシステムの例としては、例えば周知のＢＬＵＥＴＯＯＴＨ規格の通信方式を利用したものが好適である。
【００３５】
このように、この例の携帯電話機では、従来の携帯電話機の構成に対して信号変換部８０を追加するとともに、出力端子部を変更するだけの最小限の変更のみで、携帯電話機からのステレオ音声信号と映像信号とを、赤外線信号や無線信号を経て外部のテレビ装置に出力して、テレビの映像と音声として再生させることができる。
従って、携帯電話機の映像と音声のデータを利用して、一般のテレビ装置を代表とする携帯電話機外の周辺機器を用いて、大画面化・大音量化が可能な映像とステレオ音声の再生システムを低コストで構築することが容易になる。
【実施例３】
【００３６】
図５は、本発明の第３実施例である携帯電話機の構成を示すブロック図である。
この例においては、携帯電話機１００Ｂからネットワークを介して、テレビ装置３００Ｂに対して映像と音声の情報を伝送することによって、テレビ装置３００Ｂにおいてテレビの映像と音声を再生させるものである点において、第１実施例および第２実施例の場合と異なっている。
この例の携帯電話機１００Ｂは、図５に示すように、送受信部１０Ａと、制御部２０Ａと、音声信号処理部３０と、音声増幅部４０と、画像表示制御部５０と、表示器６０と、信号処理部８０と、ブラウザ部９５とから概略構成されている。これらのうち、音声信号処理部３０，音声増幅部４０，画像表示制御部５０，表示器６０，信号処理部８０は、図１に示された第１実施例の場合と同様なので、以下においてはこれらについての詳細な説明を省略する。
【００３７】
送受信部１０Ａは、アンテナ１１と無線部１２とを有し、通常の通信時における送信時には、送信音声と送信映像とのベースバンドレベルのデータからなる送信信号を生成し、無線部１２を介して送信ベースバンドデータを無線信号に変換して、アンテナ１１から基地局１５０に対して送出するとともに、受信時には、アンテナ１１を経て受信した基地局１５０からの無線信号を、無線部１２を介してベースバンドレベルの受信音声と受信映像とからなる受信信号に変換して出力するとともに、ネットワーク１６０にアクセスする場合には、制御部２０Ａを介してブラウザ部９５から送出されるブラウザ通信情報を基地局１５０に伝送し、音声増幅部４０からのステレオ音声信号と、信号変換部８０からの映像信号とからベースバンドレベルのデータからなる送信信号を生成し、無線部１２を介して無線信号に変換して基地局１５０へ送信する。
制御部２０Ａは、通常の通信時における基地局との間の音声や映像を含むデータ通信の制御や、音声や映像を録音，録画，再生する際の制御等、さまざまな制御を行うとともに、ネットワーク１６０にアクセスする場合には、ブラウザ部９５から送出されるブラウザ通信情報を送受信部１０Ａに送出する。ブラウザ部９５は、ネットワーク１６０にアクセスするために必要な情報を生成して制御部２０Ａへ出力する。
【００３８】
携帯電話機１００Ｂからテレビ装置３００Ｂに対して映像信号とステレオ音声信号の情報を出力しようとする場合には、ブラウザ部９５がブラウザ通信を起動することによって、送受信部１０Ａからアンテナ１１を経て電波によってアクセス情報が基地局１５０へ送られる。基地局１５０では、アンテナ１５１を経てこの電波を受信し、基地局無線装置１５２は、受信電波から取り出したアクセス情報に応じて、ネットワーク１６０を介してサーバ１７０に接続する。この状態で、携帯電話機１００Ｂから送信した映像と音声の情報は、サーバ１７０に蓄積される。
テレビ装置３００Ｂは、ブラウザ部１８０によってブラウザ通信を起動して、ネットワーク１６０を介してサーバ１７０にアクセスすることによって、サーバ１７０に蓄積されている携帯電話機１００Ｂからの映像とステレオ音声の情報を受け取って、テレビ映像と音声の再生を行うことができる。
【００３９】
携帯電話機１００Ｂが、テレビ装置３００Ｂに対して、音声増幅部４０からのステレオ音声信号と、信号変換部８０からの映像信号とを送信して、テレビ装置３００Ｂにおいて映像と音声のデータを再生させる場合には、携帯電話機１００Ｂにおける映像出力パラメータを、テレビ装置３００Ｂの映像再生方式に応じたものとする必要がある。
この例においては、このような場合に必要となる各種の映像出力パラメータの情報を、サーバ１７０内に予め蓄積しておく。そして携帯電話機１００Ｂがステレオ音声信号と映像信号とをテレビ装置３００Ｂに伝送するためにサーバ１７０にアクセスしたとき、サーバ１７０は、テレビ装置３００Ｂが必要とする映像出力パラメータを選択して、その情報をブラウザ通信によって、携帯電話機１００Ｂに通知する。これによって、携帯電話機１００Ｂは、指定された映像出力パラメータによって映像信号を送信するので、テレビ装置３００Ｂでは、自装置が必要する映像出力パラメータに適合した映像信号を受信することができ、従ってテレビ映像を正常に再生することができる。
【００４０】
このような映像出力パラメータの例としては、例えばＮＴＳＣ方式の場合における、映像再生時のインタレースとノンインタレースの区別にそれぞれ対応する映像出力パラメータを挙げることができる。
また、この際、携帯電話機のブラウザ部９５におけるブラウザ通信プログラムを記述するためのプログラム言語は、例えばＪＡＶＡ（登録商標）のような、携帯電話機のＯＳ（Operating System）の種類に無関係に動作可能なものであることが望ましい。
【００４１】
このように、この例の携帯電話機では、従来の携帯電話機の構成に対して信号変換部８０を追加して、映像データをテレビ装置等の外部周辺機器が対応可能な映像信号に変換して出力するとともに、サーバに映像出力パラメータの情報を蓄積しておくことによって、携帯電話機からの映像信号に対応する映像出力パラメータを自動的に選択して映像信号を生成して、ステレオ音声信号とともにネットワークを介して外部のテレビ装置に転送して、テレビの映像と音声を再生させることができる。
従って、携帯電話機の映像と音声のデータを利用して、一般のテレビ装置を代表とする携帯電話機外の周辺機器を用いて、大画面化・大音量化が可能な映像とステレオ音声の再生システムを構築することが容易になる。
【００４２】
以上、この発明の実施例を図面により詳述してきたが、具体的な構成はこの実施例に限られたものではなく、この発明の要旨を逸脱しない範囲の設計の変更等があってもこの発明に含まれる。例えば、本発明の実施例においては、音声と映像の受信機能を有する携帯電話機から、一般のテレビ装置へステレオ音声と映像の再生信号を伝送する場合について説明したが、音声情報はステレオ音声信号の場合に限るものでなく、モノラル音声信号の場合にも、適用可能なものであることはいうまでもない。また、第２実施例における非接触インタフェースアダプタは、内部に電池を有し、テレビ装置出力端子部９０を構成するジャックにコードレスでプラグを挿入して使用する直付け型のものでもよく、または電源として商用電源を使用し、テレビ装置出力端子部９０を構成するジャックにプラグ付きコードで接続して使用する可搬型または据え置き型のものでもよい。さらに、アダプタ形式はでなく、これらの機能を携帯電話機内部に組み込む形式のものであってもよい。また、テレビ装置において表示する映像は、静止画と動画のいずれであってもよい。また、携帯電話機内において録画，録音した映像とステレオ音声のデータは、外部から受信したものでもよく、または携帯電話機内において生成されたものでもよい。
【産業上の利用可能性】
【００４３】
本発明の携帯電話機における、映像と音声のデータのテレビ装置等の外部周辺機器への伝送方法は、携帯電話機に限らず、映像と音声のデータを扱うことができるものであれば、他の種類の情報機器の場合にも利用可能なものである。
【図面の簡単な説明】
【００４４】
【図１】本発明の第１実施例である携帯電話機の構成を示すブロック図である。
【図２】同実施例の携帯電話機の動作フローチャートを示す図である。
【図３】同実施例の携帯電話機の動作を説明するためのタイミングチャートである。
【図４】本発明の第２実施例である携帯電話機の構成を示すブロック図である。
【図５】本発明の第３実施例である携帯電話機の構成を示すブロック図である。
【図６】従来の携帯電話機の構成例を示すブロック図である。
【符号の説明】
【００４５】
１０，１０Ａ    送受信部
２０，２０Ａ    制御部
３０    音声信号処理部
４０    音声増幅部
５０    画像表示制御部
６０    表示器
８０    信号変換部（信号変換手段）
９０    テレビ装置出力端子部（出力端子）
９５    ブラウザ部（ブラウザ手段）
１００Ａ，１００Ｂ    携帯電話機
１１０    映像・音声信号ケーブル部（映像・音声信号伝送手段）
１２０    非接触インタフェースアダプタ（携帯電話機側非接触インタフェース手段）  １３０    非接触インタフェース部（表示媒体側非接触インタフェース手段）
１４０    伝送媒体
１５０    基地局
１６０    ネットワーク
１７０    サーバ
３００，３００Ａ，３００Ｂ    テレビ装置（表示媒体）
【図１】
2005252784.tif 000003
【図２】
2005252784.tif 000004
【図３】
2005252784.tif 000005
【図４】
2005252784.tif 000006
【図５】
2005252784.tif 000007
【図６】
2005252784.tif 000008